(57)【特許請求の範囲】
【請求項１】
建築用パネルを運搬するための建築用パネル用ラックであって、
立て起こされた建築用パネルの下端面を支持する底面フレームと、
この底面フレームの縁部に設けられた複数の側面フレームと、
前記底面フレームの裏面側に回動可能な補助フレームと、を備え、
前記複数の側面フレームのうち、少なくとも１つが、前記底面フレームの縁部に回動自在に連結された回動側面フレームであり、
この回動側面フレームは、建築用パネル用ラックを横倒した際に、建築用パネルをほぼ水平状態で取り出せるように、底面フレームの上側の縁部を軸として上側に回動可能とされ、
前記補助フレームは、建築用パネル用ラックを横倒した際に、前記底面フレームの裏側に回動させた状態で前記回動側面フレームとワイヤで連結可能であることを特徴とする建築用パネル用ラック。
【請求項２】
請求項１記載の建築用パネル用ラックにおいて、
前記回動側面フレームには、クレーン等の吊り装置の吊り具を係止するためのフックが設けられていることを特徴とする建築用パネル用ラック。
【請求項３】
請求項１または２記載の建築用パネル用ラックにおいて、
前記回動側面フレームを前記底面フレームの縁部に回動自在に連結している連結部には、前記回動側面フレームを９０度以上回動させた際に、この回動側面フレームの回動を阻止するストッパが設けられていることを特徴とする建築用パネル用ラック。
【請求項４】
請求項１〜３のいずれかに記載の建築用パネル用ラックにおいて、
前記回動側面フレームと、これに対向している側面フレームとは、これらフレームに着脱可能な連結部材によって連結されていることを特徴とする建築用パネル用ラック。
【請求項５】
請求項１記載の建築用パネル用ラックに積まれた建築用パネルを取り出す建築用パネルの取り出し方法であって、
前記回動側面フレームが上面にくるように前記建築用パネル用ラックを横倒し、
前記底面フレームの上側の縁部を軸として回動側面フレームを上側に回動させ、
前記補助フレームを前記底面フレームの裏側に回動させ、
前記底面フレームの裏側に回動させた前記補助フレームと前記回動側面フレームとをワイヤで連結し、
前記建築用パネルをほぼ水平状態で建築用パネル用ラックから取り出すことを特徴とする建築用パネルの取り出し方法。
【発明の詳細な説明】
【０００１】
【発明の属する技術分野】
本発明は、建築用パネル用ラック及び建築用パネルの取り出し方法に関する。
【０００２】
【背景の技術】
従来、工業化住宅の一つとして、床・壁・屋根等の構造材を予め工場等でパネル化し、施工現場でこれらの建築用パネルを組み立てることにより、住宅を構築するパネル工法が一部に採用されている。工場で製造された建築用パネルのうち、壁パネルはラックに立積みに収納し、トラックに積み込まれて運搬されていた。一方、屋根パネルや床パネルはトラックの荷台部の面積に対応した大きさに大型化され、平積みの状態で運搬されていた。
【０００３】
【発明が解決しようとする課題】
ところで、施工能率を向上させるため、建築用パネルはできる限り大型化することが望ましい。しかし、屋根パネルや床パネルの大型化可能な面積はトラックの荷台部の領域内に限定されており、さらに大型化するには屋根パネルや床パネルを立積みにする必要があった。しかし、屋根パネルや床パネルが立積みの状態で運搬されると、ラックから取り出す際に、パネルの上端部を吊ることしかできない。壁パネルのように、吊り上げた状態のままで躯体に取り付けられるパネルであれば問題はないが、屋根パネルや床パネルのようにパネルを寝かせた状態で躯体に取り付ける場合には、ラックから取り出した後にパネルを寝かせ、再度パネルを吊りなおす必要があり、施工能率の低下を招くことから実用化されていなかった。
【０００４】
そこで、本発明の課題は、屋根パネルや床パネルを立積みの状態で運搬でき、かつ、屋根パネルや床パネルをほぼ水平状態でラックから取り出せる建築用パネル用ラック及び建築用パネルの取り出し方法を提供することである。
【０００５】
【課題を解決するための手段】
上記課題を解決するため、請求項１記載の発明は、例えば、図１，図３，図６に示すように、建築用パネルＰを運搬するための建築用パネル用ラック１００であって、立て起こされた建築用パネルＰの下端面を支持する底面フレーム１と、この底面フレーム１の縁部に設けられた複数の側面フレーム２１，２２と、前記底面フレーム１の裏面側に回動可能な補助フレーム６と、を備え、前記複数の側面フレーム２１，２２のうち、少なくとも１つが、前記底面フレーム１の縁部に回動自在に連結された回動側面フレーム２２であり、この回動側面フレーム２２は、建築用パネル用ラック１００を横倒した際に、建築用パネルＰをほぼ水平状態で取り出せるように、底面フレーム１の上側の縁部を軸として上側に回動可能とされ、前記補助フレーム６は、建築用パネル用ラック１００を横倒した際に、前記底面フレーム１の裏側に回動させた状態で前記回動側面フレーム２２とワイヤ８で連結可能であることを特徴とする。
【０００６】
請求項１記載の発明によれば、複数の側面フレーム２１，２２のうち、少なくとも１つが、底面フレーム１の縁部に回動自在に連結された回動側面フレーム２２であり、この回動側面フレーム２２は、建築用パネル用ラック１００を横倒した際に、建築用パネルＰをほぼ水平状態で取り出せるように、底面フレーム１の上側の縁部を軸として上側に回動可能である。そのため、運搬された建築用パネルＰを建築用パネル用ラック１００とともに横倒し、回動側面フレーム２２を底面フレーム１の上側の縁部を軸として上側に回動することで建築用パネル用ラック１００の上面が開放されることになる。したがって、建築用パネルＰを建築用パネル用ラック１００から取り出した状態のままで建物の躯体に施工できる。すなわち、立て起こされた建築用パネルＰを寝かせて吊りなおす必要がなくなるので、施工能率を向上できる。なお、この建築用パネル用ラック１００に積み込まれる建築用パネルＰは、横倒した状態で建物の躯体に施工される屋根パネルや床パネルである。
【０００７】
請求項２記載の発明は、例えば、図１，図２，図６に示すように、請求項１記載の建築用パネル用ラック１００において、前記回動側面フレーム２２には、クレーン等の吊り装置の吊り具を係止するためのフック３が設けられていることを特徴とする。
【０００８】
請求項２記載の発明によれば、回動側面フレーム２２には、クレーン等の吊り装置の吊り具を係止するためのフック３が設けられているため、フック３にクレーン等の吊り装置の吊り具を係止して吊り上げると、建築用パネル用ラック１００が傾斜した状態となる。次いで、底面フレーム１の縁部を支点として接地し、建築用パネル用ラック１００を徐々に横倒しながら地面に設置できる。その後、回動側面フレーム２２を回動可能な状態にして、フック３を引き上げて回動側面フレーム２２を上側に回動することにより、建築用パネル用ラック１００の上面を開放できる。
【０００９】
請求項３記載の発明は、例えば、図３に示すように、請求項１または２記載の建築用パネル用ラック１００において、前記回動側面フレーム２２を前記底面フレーム１の縁部に回動自在に連結している連結部４には、前記回動側面フレーム２２を９０度以上回動させた際に、この回動側面フレーム２２の回動を阻止するストッパ４ａが設けられていることを特徴とする。
【００１０】
請求項３記載の発明によれば、回動側面フレーム２２を９０度以上回動させると、回動側面フレーム２２はその自重により地面に倒れようとする。ここで、連結部４にストッパ４ａが設けられているため、回動側面フレーム２２は、立て起こされた状態で回動を阻止される。これにより、回動側面フレーム２２を立て起こした状態で建築用パネルＰを取り出すことができ、建築用パネル用ラック１００が占有する平面的な領域を狭くできるので、施工区域が狭い現場においても利用することができる。
【００１１】
請求項４記載の発明は、例えば、図１，図４，図５に示すように、請求項１〜３のいずれかに記載の建築用パネル用ラック１００において、前記回動側面フレーム２２と、これに対向している側面フレーム２１とは、これらフレーム２１，２２に着脱可能な連結部材５によって連結されていることを特徴とする。
【００１２】
請求項４記載の発明によれば、回動側面フレーム２２と、これに対向している側面フレーム２１とは、これらフレーム２１，２２に着脱可能な連結部材５によって連結されている。そのため、建築用パネルＰの運搬時等に、風や振動等によって回動側面フレーム２２が回動しようとしても、連結部材５が回動を阻止するため、建築用パネルＰを安定した状態で運搬できる。また、建築用パネル用ラック１００を横倒した後、連結部材５を取り外すことにより、回動側面フレーム２２を回動可能な状態とすることができる。
【００１３】
請求項５記載の発明は、例えば、図６に示すように、請求項１記載の建築用パネル用ラック１００に積まれた建築用パネルＰを取り出す建築用パネルＰの取り出し方法であって、前記回動側面フレーム２２が上面にくるように前記建築用パネル用ラック１００を横倒し、前記底面フレーム１の上側の縁部を軸として回動側面フレーム２２を上側に回動させ、前記補助フレーム６を前記底面フレーム１の裏側に回動させ、前記底面フレーム１の裏側に回動させた前記補助フレーム６と前記回動側面フレーム２２とをワイヤ８で連結し、前記建築用パネルＰをほぼ水平状態で建築用パネル用ラック１００から取り出すことを特徴とする。
【００１４】
請求項５記載の発明によれば、回動側面フレーム２２が上面にくるように建築用パネル用ラック１００を横倒し、底面フレーム１の上側の縁部を軸として回動側面フレーム２２を上側に回動させるだけの簡単な方法で請求項１と同様の効果を得ることができる。
【００１５】
【発明の実施の形態】
以下、図面を参照して本発明に係る実施の形態の建築用パネル用ラック及び建築用パネルの取り出し方法について詳細に説明する。なお、上述のように建築用パネル用ラックは屋根パネル及び床パネルの運搬に用いられるものであり、本実施の形態では屋根パネルを例に挙げて説明する。
図１及び図６に示すように、屋根パネル用ラック（建築用パネル用ラック）１００は、屋根パネル（建築用パネル）Ｐを製造工場から施工現場へ運搬する際に主に用いられるものであり、底面フレーム１、側面フレーム２１、回動側面フレーム２２、連結部材５、補助フレーム６、屋根パネルガイド７等を備えている。
【００１６】
底面フレーム１は、立て起こされた屋根パネルＰの下端面を支持するものであり、縦框材１ａ、横框材１ｂが２本ずつ組み合わされて矩形状に構成されている。また、対向する横框材１ｂ間を掛け渡すように、縦框材１ａとほぼ平行に縦芯材１ｃが複数備えられている。
【００１７】
側面フレーム２１は、屋根パネルＰを運搬する際の屋根パネルＰの横倒を防ぐものであり、縦框材２ａ、横框材２ｂが２本ずつ組み合わされて略矩形状に構成されている。また、対向する横框材２ｂ間を掛け渡すように、縦框材２ａとほぼ平行に縦芯材２ｃが２本備えられている。また、縦框材２ａと縦框材２ａに近い縦芯材２ｃ間を掛け渡すように、横框材２ｂとほぼ平行に横芯材２ｄが複数備えられている。これにより、縦框材２ａ、縦芯材２ｃ、横芯材２ｄによって梯子２３が形成され、作業者は側面フレーム２１を昇降できる。
【００１８】
また、図１及び図２に示すように、縦框材２ａの上端部近傍には、クレーン等の吊り装置の吊り具を係止するための運搬フック３ａが取り付けられている。
さらに、側面フレーム２１の上側の横框材２ｂの両端部は、縁部となる縦框材２ａより突出しており、横框材２ｂの両端部には、屋根パネルガイド７を取り付けるための筒状の支持部材２ｃが取り付けられている。
なお、側面フレーム２１の下側となる横框材２ｂは、前記底面フレーム１の横框材１ｂの一方に溶接にて接合されており、側面フレーム２１は底面フレーム１と一体化されている。
【００１９】
回動側面フレーム２２は、屋根パネルＰを運搬する際は、側面フレーム２１と同様の機能を果たし、屋根パネルＰを横倒した屋根パネル用ラック１００から取り出す際には、底面フレーム１の上側の縁部を軸として上側に回動することで、屋根パネルＰをほぼ水平状態で取り出せることを可能にしたものである。
なお、回動側面フレーム２２は、側面フレーム２１と同様の構成であるため、側面フレーム２１と異なる部分について説明する。
回動側面フレーム２２は、屋根パネル用ラック１００を容易に横倒するため、パネル用ラック１００を傾斜させた状態で吊るための傾斜フック３ｂを縦框材２ａの運搬フック３ａより下方に備えている。
【００２０】
また、回動側面フレーム２２は、図３に示すように、底面フレーム１の上側の縁部に備えられたヒンジ４を介して回動自在に連結されている。ここで、回動側面フレーム２２の回動は、ヒンジ４の外周上に設けられたストッパ４ａが底面フレーム１に接触することで阻止される。なお、ストッパ４ａは、回動側面フレーム２２が９０度以上回動した後に底面フレーム１に接触するような位置に形成されている。
【００２１】
図１及び図５に示すように、連結部材５は、回動側面フレーム２２と、これに対向している側面フレーム２１とを連結し、屋根パネルＰの運搬時等における回動側面フレーム２２の回動を阻止するものである。連結部材５は、固定部５１、つなぎ部５２等を備えている。
固定部５１は、図１及び図５に示すように、側面フレーム２１及び回動側面フレーム２２の縦框材２ａと縦框材２ａの上端部側の横框材２ｂとの接合部上に設けられ、直方体状の支持体５１ａと、連結フック５１ｂとを備えている。連結フック５１ｂは、支持体５１ａの２面に取り付けられており、つなぎ部５２が連結される。
つなぎ部５２は、図１及び図４に示すように、側面フレーム２１と回動側面フレーム２２の対向する固定部５１同士をつなぐものであり、支持体５１ａとほぼ同じ断面を有する長尺材から形成された連結体５２ａと、連結金具５３とを備えている。
【００２２】
図４に示すように、連結金具５３は、連結体５２ａの両端部に２つずつ設けられており、連結フック５１ｂに係止される係止部５３ａ、係止部５３ａを支持する胴体部５３ｂ、係止部５３ａに引張力をかける係止レバー５３ｃ等を備えている。係止部５３ａは、環状に形成されており、その一部には、弾性体５３ｄが取り付けられている。胴体部５３ｂは、複数の板材を接合して形成されており、一端部で弾性体５３ｄを介して係止部５３ａを支持し、他端部で係止レバー５３ｃと連結されている。係止レバー５３ｃは、前記連結体５２ａに沿った位置まで移動させて弾性体５３ｄに引張力をかけるものである。すなわち、弾性体５３ｄに引張力をかけることで、連結フック５１ｂと係止部５３ａが外れないようにされている。
【００２３】
図１に示すように、補助フレーム６は、屋根パネルＰを運搬する際には、立て起こされた屋根パネルＰの下端面を支持し、屋根パネルＰを屋根パネル用ラック１００から取り出す際には、屋根パネル用ラック１００の転倒を防止するものである。補助フレーム６は、縦框材６ａと横框材６ｂと後述する屋根パネルガイド７とが組み合わされて略矩形状に構成されている。また、対向する横框材６ｂ間を掛け渡すように、縦框材６ａとほぼ平行に縦芯材６ｃが１本備えられている。また、補助フレーム６の横框材６ｂが、底面フレーム１の縦框材１ａに図示しないヒンジを介して接続されている。なお、屋根パネルガイド７は、縦框材６ａとほぼ平行に底面フレーム１に連結される側に設けられ、縦框材６ａとしての機能も備えている。
【００２４】
また、横框材６ｂは側面フレーム２１及び回動側面フレーム２２と鎖６ｃを介して接続され、補助フレーム６が底面フレーム１と同一平面になるように鎖６ｃによって支持されている。また、屋根パネルＰを屋根パネル用ラック１００から取り出す際には、鎖６ｃを取り外し、補助フレーム６を底面フレーム１の裏面側に回動することで、屋根パネル用ラック１００の転倒を防止できる。
なお、屋根パネルＰの幅が底面フレーム１の幅より小さい時には、補助フレーム６は、側面フレーム２１及び回動側面フレーム２２の縦框材２ａに沿うように折り畳まれ、側面フレーム２１としての機能を果たすことができる。
【００２５】
屋根パネル用ガイド７は、ガイド突起７ａ、保持材７ｂ等を備えている。
ガイド突起７ａは、屋根パネル用ラック１００に積み込まれた屋根パネルＰ同士の接触を防ぐものである。また、保持材７ｂは、ガイド突起７ａを支持するものであり、上述の縦框材６ａとほぼ同じ長さに形成されている。保持材７ｂの上面には、ガイド突起７ａが屋根パネルＰの厚さより少し広い間隔をあけて、かつ、鉛直上方向に向けて取り付けられている。
また、図１に示すように、屋根パネル用ガイド７は、屋根パネルＰの上端面と下端面から支持するため、上述の補助フレーム６の横框材６ｂ間と、側面フレーム２１及び回動側面フレーム２２の対向する支持部材２ｃ間とに設けられている。なお、支持部材２ｃ間に設けられる屋根パネル用ガイド７においては、ガイド突起７ａに加えて、支持部材２ｃに挿通させるためのガイド突起７ａが保持材７ｂの両端部に備えられている。
【００２６】
ここで、図６を用いて、屋根パネルＰの屋根パネル用ラック１００への積み込みから取り出しまでの手順について説明する。
図６（ａ）に示すように、屋根パネルＰを屋根パネル用ラック１００の底面フレーム１及び補助フレーム６上に載置し、連結部材５によって側面フレーム２１と回動側面フレーム２２とを連結する。そして、運搬フック３ａにクレーン等の吊り装置の吊り具を係止し、トラックに積み込んで施工現場に運搬する。
図６（ｂ）〜（ｄ）に示すように、施工現場で荷下ろしされた屋根パネル用ラック１００は、吊りもとが傾斜フック３ｂに変更され、地面に対して傾斜した状態となるように吊り上げられる。そして、徐々に屋根パネル用ラック１００を横倒し、回動側面フレーム２２を上面にして地面に設置される。
次いで、図６（ｅ）〜（ｆ）に示すように、連結部材５を外し、ストッパ４ａが底面フレーム１に接触するまで回動側面フレーム２２を回動させる。図６（ｇ）〜図６（ｈ）に示すように、回動側面フレーム２２の回動終了後、補助フレーム６を底面フレーム１の裏面側へ回動させる。補助フレーム６の回動後、補助フレーム６と梯子２３との間にワイヤ８を張り、回動側面フレーム２２が倒れないようにしておく。回動側面フレーム２２の回動により、横倒された屋根パネル用ラック１００の上面が開放されると、寝かせた状態のままで屋根パネルＰを吊り上げ、躯体の屋根部分に設置される。
【００２７】
本実施の形態によれば、回動側面フレーム２２は、ヒンジ４を軸として上側に回動可能であるため、運搬された屋根パネルＰを屋根パネル用ラック１００とともに横倒し、回動側面フレーム２２を回動することで屋根パネル用ラック１００の上面が開放されることになる。したがって、屋根パネルＰを屋根パネル用ラック１００から取り出した状態のままで建物の躯体に施工できる。すなわち、立て起こされた屋根パネルＰを寝かせて吊りなおす必要がなくなるので、施工能率を向上できる。
【００２８】
また、回動側面フレーム２２には、傾斜フック３ｂが設けられているため、傾斜フック３ｂにクレーン等の吊り装置の吊り具を係止して吊り上げると、屋根パネル用ラック１００が傾斜した状態となる。次いで、底面フレーム１の横框材１ａを支点として接地し、屋根パネル用ラック１００を徐々に横倒しながら地面に設置できる。その後、回動側面フレーム２２を回動可能な状態にして、傾斜フック３ｂを引き上げて回動側面フレーム２２を上側に回動することにより、屋根パネル用ラック１００の上面を開放できる。
【００２９】
また、ヒンジ４にはストッパ４ａが設けられているため、回動側面フレーム２２は、立て起こされた状態で回動を阻止される。これにより、回動側面フレーム２２を立て起こした状態で屋根パネルＰを取り出すことができ、屋根パネル用ラック１００が占有する平面的な領域を狭くできるので、施工区域が狭い現場においても利用することができる。
【００３０】
また、補助フレーム６は、底面フレーム１に対して回動自在に連結されているため、屋根パネルＰの大きさによって底面フレーム１あるいは側面フレーム２１として用いることができる。
【００３１】
さらに、着脱可能な連結部材５を取り付けることにより、屋根パネルＰの運搬時等に、風や振動等によって回動側面フレーム２２が回動しようとしても、連結部材５が回動を阻止するため、屋根パネルＰを安定した状態で運搬できる。また、屋根パネル用ラック１００を横倒した後、連結部材５を取り外すことにより、回動側面フレーム２２を回動可能な状態とすることができる。
また、屋根パネルＰを取り出す方法も簡単であり、施工能率を向上することができる。
【００３２】
なお、本発明に係る屋根パネル用ラック１００の構造は、上記実施の形態に限定されるものではなく、発明の要旨を逸脱しない範囲で設計変更、改良、組み合わせ等がなされた構造を包含するものである。
【００３３】
【発明の効果】
請求項１記載の発明によれば、建築用パネルを建築用パネル用ラックから取り出した状態のままで建物の躯体に施工できる。すなわち、立て起こされた建築用パネルを寝かせて吊りなおす必要がなくなるので、施工能率を向上できる。
【００３４】
請求項２記載の発明によれば、フックに吊り具を係止することにより、建築用パネル用ラックを横倒しやすくできる。
【００３５】
請求項３記載の発明によれば、連結部には回動側面フレームの回動を阻止するストッパが設けられているため、回動側面フレームを立て起こした状態で建築用パネルを取り出すことができ、建築用パネル用ラックが占有する平面的な領域を狭くできるので、施工区域が狭い現場においても利用することができる。
【００３６】
請求項４記載の発明によれば、建築用パネルの運搬時等に、回動側面フレームが回動することがなく、建築用パネルを安定した状態で運搬できる。また、建築用パネル用ラックを横倒した後、連結部材を取り外すことにより、回動側面フレームを回動可能な状態とすることができる。
【００３７】
請求項５記載の発明によれば、回動側面フレームが上面にくるように建築用パネル用ラックを横倒し、底面フレームの上側の縁部を軸として回動側面フレームを上側に回動させるだけの簡単な方法で請求項１と同様の効果を得ることができる。
【図面の簡単な説明】
【図１】本発明の実施の形態の屋根パネル用ラックを説明するための図である。
【図２】上記実施の形態のフックを説明するための図である。
【図３】上記実施の形態の連結部を説明するための図である。
【図４】上記実施の形態の連結部材を説明するための図である。
【図５】上記実施の形態の連結部材を説明するための図である。
【図６】上記実施の形態の屋根パネルの施工方法を説明するための図である。
【符号の説明】
１        底面フレーム
２１      側面フレーム
２２      回動側面フレーム
３        フック
４        連結部
４ａ      ストッパ
５        連結部材
１００    屋根パネル用ラック
Ｐ        屋根パネル
【図１】
0003822097.tif 000002
【図２】
0003822097.tif 000003
【図３】
0003822097.tif 000004
【図４】
0003822097.tif 000005
【図５】
0003822097.tif 000006
【図６】
0003822097.tif 000007